(57)【特許請求の範囲】
【請求項１】
シフトレバーを所定方向に揺動させることにより、変速段を切り換えるマニュアルレンジを含む複数のレンジを有し、シフトレバーによるこれらのレンジの選択位置が一列に配置されていると共に、マニュアルレンジ内での上記手動変速操作が上記列の方向に沿って行われるように構成された自動変速機の変速操作入力装置であって、上記シフトレバーに連動して該レバーの操作方向にスライドし、かつ一側部に選択位置表示用突出部が設けられたスライドプレートと、該プレートの上方を覆うように車体側に取り付けられ、かつ上記スライドプレートの突出部を露出させるレンジ数と同数の表示窓がシフトレバーの各レンジ選択位置に対応させて設けられたカバー部材とを有すると共に、該カバー部材における上記マニュアルレンジ用表示窓が他のレンジ用の表示窓の列に対してシフトレバーの操作方向と直交する方向にオフセットされ、かつ、上記スライドプレートにおける表示用突出部が、シフトレバー操作方向の寸法が長いマニュアルレンジ用突出部と同方向の寸法が短い他のレンジ用の突出部とで構成され、これらの突出部が、上記表示窓のオフセットに対応させてスライドプレートの当該側部に二段に突出されていることを特徴とする自動変速機の変速操作入力装置。
【請求項２】
複数のレンジの選択位置として、Ｐ、Ｒ、Ｎ、Ｄの各レンジとマニュアルレンジの選択位置がシフトレバーの操作方向に沿って一列に配置されていると共に、カバー部材の表示窓は、Ｐ、Ｒ、Ｎ、Ｄレンジ用のものが一列に、マニュアルレンジ用のものがこれらに対してオフセットするように設けられていることを特徴とする請求項１に記載の自動変速機の変速操作入力装置。
【請求項３】
カバー部材における表示窓は、マニュアルレンジ用のものが他のレンジ用のものに対してシフトレバーの操作線に近い方にオフセットするように設けられていると共に、これに対応させて、スライドプレート側部の表示用突出部もマニュアルレンジ用の突出部がシフトレバーの操作線に近い方に設けられていることを特徴とする請求項１に記載の自動変速機の変速操作入力装置。
【発明の詳細な説明】
【０００１】
【発明の属する技術分野】
本発明は、自動変速機、特に変速段を自動的に切り換えるＤレンジ等の他に、シフトレバーの揺動操作により変速段を切り換えるマニュアルレンジ（以下、Ｍレンジという）を有する自動変速機の変速操作入力装置に関する。
【０００２】
【従来の技術】
近年、車両用の自動変速機として、変速段を自動的に切り換えるＤレンジ等の他に手動操作で変速段を切り換えるＭレンジを備えたものが実用化されつつあり、このような自動変速機として、例えば特開平４−２４４６５５号公報に開示されたものがある。
【０００３】
この自動変速機においては、車体前後方向の第１のシフトゲート内でシフトレバーの揺動操作によって、Ｐ（駐車）、Ｒ（後退）、Ｎ（中立）、Ｄ（ドライブ）、３（３速）、２（２速）、１（１速）のレンジが選択可能とされていると共に、上記Ｄレンジの選択位置から横方向に延びるゲートを介してＭレンジ用として第１のシフトゲートに平行な第２のシフトゲートが設けられている。そして、この第２のシフトゲート内においてシフトレバーを中立位置に付勢すると共に、この中立位置から前方へ操作すると変速段が１段シフトアップし、後方へ操作すると変速段が１段シフトダウンするように構成されている。
【０００４】
ところで、上記のように、通常のレンジ選択用の第１のシフトゲートの横にＭレンジ用の第２のシフトゲートを設けた場合、シフトゲートの全体形状ないしシフトレバーの動作領域の幅が広くなると共に、これに伴って変速操作装置の全体としても横方向に寸法が大きくなる。そのため、車体への取り付けに支障を来したり、周辺機器との間のレイアウトを困難にしたりすることになる。
【０００５】
これに対しては、車体前後方向に並ぶ各レンジの選択位置の列の一端にＭレンジの選択位置を配置し、シフトレバーをこの列の当該端部まで操作したときにＭレンジが選択されると共に、このＭレンジの選択位置内におけるシフトレバーの前後方向の操作により変速段がシフトアップもしくはシフトダウンされるように構成することが考えられる。これによれば、シフトレバーは前後方向に直線状に移動するだけとなって、該シフトレバーの動作領域の幅が狭くなり、これに伴って変速操作装置の横方向寸法も抑制されることになる。
【０００６】
一方、この種の自動変速機の変速操作入力装置においては、シフトレバーの操作線の側方に現在の選択レンジを示す表示機構が設けられるが、この機構は一般に次のように構成される。
【０００７】
つまり、図１２に示すように、シフトレバーＡが車体側に固定されたカバー部材Ｂの開口部Ｂ１内で車体前後方向に揺動操作され、かつ、この開口部Ｂ１が、シフトレバーＡに取り付けられて上記カバー部材Ｂの下方で該レバーＡの操作方向にスライド可能とされたスライドプレートＣによって閉鎖されている構成において、上記スライドプレートＣの一側部に選択位置表示用の突出部Ｃ１を設けて、該突出部Ｃ１に所定の色彩を施すと共に、上記カバー部材Ｂには、このスライドプレートＣの突出部Ｃ１を露出させるレンジ数と同数の表示窓Ｂｐ，Ｂｒ，Ｂｎ，Ｂｄ，Ｂｍを設けて、各表示窓Ｂｐ〜Ｂｍに当該レンジを示す文字を付す。そして、図示のように、例えばシフトレバーＡがＭレンジに操作されている場合には、スライドプレートＣの突出部Ｃ１がカバー部材ＢにおけるＭレンジ用の表示窓Ｂｍの下方に位置して、このＭレンジ用の表示窓Ｂｍに他の表示窓Ｂｐ〜Ｂｄとは異なる色彩が表示されるように構成するのである。
【０００８】
【発明が解決しようとする課題】
ところで、上記のような選択レンジの表示機構を、前述のようなレンジ選択位置直列配置の自動変速機、即ちシフトレバーの揺動操作によるＭレンジを含む複数のレンジの選択位置が一列に配置され、かつ、Ｍレンジ内でのシフトレバーの揺動操作が上記列の方向に沿って行われるように構成された自動変速機に適用した場合、次のような不具合の発生が考えられる。
【０００９】
つまり、図１２に示すように、Ｍレンジでは、変速段をシフトアップまたはシフトダウンさせるためにシフトレバーＡが一定範囲ｘで前後方向に操作されるが、その間、カバー部材ＡにおけるＭレンジ用表示窓Ｂｍの全体に常にスライドプレートＣの突出部Ｃ１の色彩が表示されるようにするためには、この突出部Ｃ１の前後方向の寸法を十分に長くしなければならないことになる。
【００１０】
しかし、このようにすると、図Ａに鎖線アで示すように、例えばシフトレバーＡがＮレンジに操作された場合に、Ｎレンジ用表示窓Ｂｎとこれに隣接するレンジの表示窓Ｂｒ，Ｂｄとの間隔に対して上記スライドプレートＣの突出部Ｃ１の前後方向の寸法が大きくなりすぎ、隣接する表示窓Ｂｒ，Ｂｄの一部に突出部Ｃ１の色彩が露出し、見栄えが悪化することになる。また、これを防止しようとして、突出部Ｃ１の前後方向の寸法を短くすれば、Ｍレンジ内での操作時に、Ｍレンジ用表示窓Ｂｍの一部に突出部Ｃ１の着色されている部分が存在しなくなり、この場合も見栄えが悪化することになる。
【００１１】
これに対しては、スライドプレートの突出部の前後方向の寸法を長くすると共に、カバー部材における各表示窓間の間隔を十分長くすればよいが、この場合、例えばＮレンジとこれに隣接するＤレンジやＲレンジとの間でのシフトレバーのストロークが長くなり、これに伴って操作性の悪化や当該変速操作入力装置の前後方向寸法の増大等の種々の不都合を招くことになる。
【００１２】
本発明に係る変速操作入力装置は、Ｍレンジを有する自動変速機における上記のような実情に対処するものであり、操作性の悪化や当該変速操作入力装置の前後方向寸法の増大等を招くことなく、Ｍレンジ及びその他のレンジについての選択表示を良好に行い得るようにすることを課題とする。
【００１３】
【課題を解決するための手段】
上記課題を解決するため、本発明では次のような手段を用いる。
【００１４】
まず、本願の特許請求の範囲の請求項１に記載した発明（以下、第１発明という）は、シフトレバーを所定方向に揺動させることにより、変速段を手動操作で切り換えるＭレンジを含む複数のレンジを有し、シフトレバーによるこれらのレンジの選択位置が一列に配置されていると共に、Ｍレンジ内での上記手動変速操作が上記列の方向に沿って行われるように構成された自動変速機において、上記シフトレバーに連動して該レバーの操作方向にスライドし、かつ一側部に選択位置表示用突出部が設けられたスライドプレートと、該プレートの上方を覆うように車体側に取り付けられ、かつ上記スライドプレートの突出部を露出させるレンジ数と同数の表示窓がシフトレバーの各レンジ選択位置に対応させて設けられたカバー部材とを備えると共に、該カバー部材における上記Ｍレンジ用表示窓を他のレンジ用の表示窓の列に対してシフトレバーの操作方向と直交する方向にオフセットし、かつ、上記スライドプレートにおける表示用突出部を、シフトレバー操作方向の寸法が長いＭレンジ用突出部と同方向の寸法が短い他のレンジ用の突出部とで構成し、これらの突出部を、上記表示窓のオフセットに対応させてスライドプレートの当該側部に二段に突出させたことを特徴とする。
【００１５】
また、請求項２に記載した発明（以下、第２発明という）は、上記第１発明において、複数のレンジの選択位置として、Ｐ、Ｒ、Ｎ、Ｄ、Ｍの各レンジの選択位置をシフトレバーの操作方向に沿って一列に配置すると共に、カバー部材の表示窓を、Ｐ、Ｒ、Ｎ、Ｄレンジ用のものが一列に、Ｍレンジ用のものがこれらに対してオフセットされるように設けたことを特徴とする。
【００１６】
さらに、請求項３に記載した発明（以下、第３発明という）は、同じく第１発明において、カバー部材における表示窓を、Ｍレンジ用のものが他のレンジ用のものに対してシフトレバーの操作線に近い方にオフセットすると共に、これに対応させて、スライドプレート側部の表示用突出部もＭレンジ用突出部をシフトレバーの操作線に近い方に設けたことを特徴とする。
【００１７】
上記の手段を用いることにより、本願各発明はそれぞれ次のように作用する。
【００１８】
まず、第１発明〜第３発明のいずれによっても、カバー部材におけるＭレンジ用の表示窓と他のレンジ用表示窓とがシフトレバーの操作方向と直交する方向にオフセットされ、かつ、このオフセットに対応させて、スライドプレートのＭレンジ用突出部と他のレンジ用の突出部とが該スライドプレートの当該側部に二段に突出させた状態で設けられているから、Ｍレンジ用突出部は、ＭレンジにおいてＭレンジ用の表示窓に表示される以外、他の表示窓に表示されることがなくなる。そして、このＭレンジ用突出部のシフトレバー操作方向の寸法は長いので、Ｍレンジ内では、シフトレバーのシフトアップまたはシフトダウンの操作を行っても、該Ｍレンジ用突出部が常にＭレンジ用表示窓の全体に表示されている状態が維持されることになる。
【００１９】
また、スライドプレートにおけるＭレンジ以外の他のレンジ用の突出部はシフトレバー操作方向の寸法が短いので、Ｍレンジ以外の他のレンジで、当該他のレンジ用表示窓以外の表示窓にも突出部が露出することが防止される。
【００２０】
そして、第２発明によれば、上記第１発明の作用が、複数のレンジとして、Ｐ、Ｒ、Ｎ、Ｄ、Ｍの各レンジを有し、これらのレンジの選択位置がシフトレバーの操作方向に沿って一列に配置された自動変速機において得られることになる。
【００２１】
さらに、第３発明によれば、カバー部材におけるＭレンジ用の表示窓が他のレンジ用の表示窓に対してシフトレバーの操作線に近い方にオフセットされていると共に、これに対応させて、二段に突出されるスライドプレート側部の表示用突出部も、シフトレバー操作方向の寸法が長いＭレンジ用突出部がシフトレバーの操作線に近い方に設けられ、したがって、スライドプレートの一側部に、その側辺に沿う方向の寸法が長い突出部が、さらにその外側辺に同方向の寸法が短い突出部が設けられることになって、表示用突出部の全体形状が、基端側が太く、先端側が細い安定した形状となる。
【００２２】
【発明の実施の形態】
以下、本発明の実施の形態について説明する。
【００２３】
図１は、この実施の形態に係る変速操作入力装置１の外観を示すもので、当該自動車の運転席側方の車体部材Ｘにはカバー２が取り付けられ、該カバー２に設けられた前後方向に細長い開口部２ａからシフトレバー３の上部が突出されている。
【００２４】
このシフトレバー３は、上記カバー２の開口部２ａに沿って前後方向に操作されて、その操作位置により、前方からＰレンジ、Ｒレンジ、Ｎレンジ、Ｄレンジ及びＭレンジが選択されるようになっている。また、Ｍレンジの操作位置には、中立位置を中心として前後にシフトアップ位置及びシフトダウン位置がそれぞれ設けられている。そして、これらの操作位置を示す表示板４が上記カバー２における開口部２ａの側方に設けられていると共に、該開口部２ａは、シフトレバー３に係合されて該レバー３の操作に従って前後にスライドするスライドプレート５によって閉鎖されている。
【００２５】
なお、このシフトレバー３は、パイプ部材３ａによって本体が構成されていると共に、その中間部より上方の部分は被覆部材３ｂで覆われており、また上端の操作部３ｃには、シフト操作に対する規制を解除するための規制解除ボタン３ｄが設けられている。
【００２６】
次に、変速操作入力装置１の上記カバー２より下方に配置された部分の構造を説明すると、図２及び図３に示すように、この装置１は、合成樹脂で成形されて、前後４か所のボルト穴１１……１１に挿通されるボルト（図示せず）により車体に取り付けられるベース部材１０を有する。
【００２７】
このベース部材１０の中央部には下方へ突出する中空箱状の突出部１２が設けられ、この突出部１２の左右両側面に孔１２ａ，１２ａが設けられていると共に、上記シフトレバー３を構成するパイプ部材３ａの下端部には、逆Ｔ字状（図４参照）をなすように横方向に延びる同じくパイプ部材でなる支軸３ｅが固着されており、この支軸３ｅの左右両端部が上記突出部１２の孔１２ａ，１２ａにそれぞれ嵌合されて、シフトレバー３が該突出部１２ないしベース部材１０に前後に揺動可能に支持されている。
【００２８】
そして、このベース部材１０上には、シフトレバー３の位置決め機構、該シフトレバー３の各レンジ間での操作を規制する操作規制機構、該シフトレバー３がＭレンジに操作されたことを検出するＭレンジスイッチの操作機構、Ｍレンジ内におけるシフトレバー３に対する中立付勢機構及びシフトアップ、シフトダウン操作を検出するシフトアップスイッチ及びシフトダウンスイッチの操作機構等が配設されている。
【００２９】
上記位置決め機構は、ベース部材１０に設けられた位置決め部１３と、シフトレバー３に取り付けられた位置決め用板バネ部材１４とで構成されている。このうち、位置決め部１３は、ベース部材１０の上面中央部におけるシフトレバー３の突出部の前方に該ベース部材１０に一体的に立設された前後方向の壁によって構成されていると共に、その上縁は上記シフトレバー３の揺動中心を中心とするほぼ円弧面とされ、この円弧面に前方からＰレンジ用、Ｒレンジ用、Ｎレンジ用、Ｄレンジ用及びＭレンジ用の位置決め凹部１３ｐ，１３ｒ，１３ｎ，１３ｄ，１３ｍが設けられている。
【００３０】
また、上記板バネ部材１４は、シフトレバー３の本体を構成するパイプ部材３ａにおける上記カバー２のやや下方位置に固着されたブラケット１５に、ボルト１６及び回り止めピン１７を用いて後端部が固着されて前方へ延びていると共に、その前端部は係合部１４ａとされて、上記ベース部材１０の位置決め部１３における各凹部１３ｐ，１３ｒ，１３ｎ，１３ｄ，１３ｍのうちのシフトレバー操作位置に対応する凹部に係合され、これにより、該シフトレバー３が各操作位置において位置決めされるようになっている。その場合に、位置決め部１３におけるＭレンジ用凹部１３ｍは、Ｍレンジ内でシフトレバー３をシフトアップ及びシフトダウン操作可能なように前後にやや広い凹部とされている。
【００３１】
なお、上記ブラケット１５には、操作ケーブル１８の後端部が連結されている。このケーブル１８は、ベース部材１０の前端部に取り付けられたケーブルガイド１９を通って前方に延びて、図示しないインヒビタスイッチや、コントロールバルブユニットにおけるマニュアルバルブや、パーキング機構等に導かれ、これらにシフトレバー３の操作を伝達するようになっている。
【００３２】
一方、シフトレバー３には、前述のレンジ間の操作規制機構、Ｍレンジスイッチの操作機構、該シフトレバー３に対する中立付勢機構及びシフトアップ、シフトダウンスイッチの操作機構等を構成するシフトピン２１が設けられている。
【００３３】
このシフトピン２１の取り付け構造を図４により説明すると、シフトレバー３の本体を構成するパイプ部材３ａにおける上記ブラケット１８の固着位置の直下方には、左右両側面に上下に長い長穴３ｆ，３ｆがそれぞれ設けられていると共に、これらの長穴３ｆ，３ｆにはシフトピン２１が挿通されて、その両端部２１ａ，２１ｂがパイプ部材３ａの左右両側に突出されている。ここで、該シフトピン２１の左側の端部２１ａは丸棒の状態であるが、右側の端部２１ｂは扁平に成形されている。
【００３４】
このシフトピン２１は、パイプ部材３ａ内に配置されて該パイプ部材３ａ内を上下に移動可能とされた支持部材２２に中央部を支持されて、上記長穴３ｆ，３ｆの範囲内で、該支持部材２２と共に上下移動可能とされていると共に、パイプ部材３ａ内における支持部材２２の下方には、該支持部材２２及びシフトピン２１を上方に付勢するリターンスプリング２３が配設されておいる。また、該支持部材２２の上方にはコイルを密に巻いてなるスプリング２４がパイプ部材３ａ内に挿通され、シフトレバー３の上端の操作部３ｃにおける規制解除ボタン３ｄの押し込み操作により、該スプリング２４を介して上記支持部材２２及びシフトピン２１が上記リターンスプリング２３に抗して下方へ押し下げられるようになっている。
【００３５】
そして、上記ベース部材１０におけるシフトレバー３の操作経路の前方に向かって左側の側方には、上記シフトピン２１によって操作されるＭレンジスイッチの操作機構が備えられている。
【００３６】
この機構は、図５に拡大して示すように、シフトレバー３の上記側方におけるＭレンジの選択位置の近傍においてベース部材１０に立設された支持プレート３１と、該支持プレート３１のシフトレバー３側の面の上部にピン３２を介して中央部が揺動自在に支持された操作レバー３３と、上記ピン３２に巻き付けられて両端が支持部材３１と操作レバー３３とにそれぞれ係止されていることにより、該操作レバー３３を図５のＡ方向に付勢するツルマキバネ３４とを有すると共に、上記支持プレート３１における操作レバー３３の後端部３３ａの下方にＭレンジスイッチ３５が取り付けられている。  なお、支持プレート３１には、上記ツルマキバネ３４による操作レバー３３のＡ方向の揺動を所定位置で規制するためのストッパ部３１ａが設けられている。
【００３７】
そして、操作レバー３３の前端部３３ｂが、シフトレバー３がＭレンジに操作されたときに上記シフトピン２１の左側の端部２１ａに係合し、該シフトピン２１が上記ボタン３ｄの押し込み操作の解除により長穴３ｆに沿って上方へ移動するときに、該操作レバー３３が上記ツルマキバネ３４の付勢力に抗して反Ａ方向に揺動され、後端部３３ａが上記Ｍレンジスイッチ３５をＯＮ操作するようになっている。
【００３８】
また、ベース部材１０におけるシフトレバー３の操作経路の前方に向って右側の側方には、図６に拡大して示すように、その経路に沿ってガイドプレート４１が該ベース部材１０に一体的に立設され、このガイドプレート４１と、シフトレバー３に備えられたシフトピン２１とにより、前述のシフト操作規制機構が構成されている。
【００３９】
上記ガイドプレート４１は、シフトレバー３側の面の前部に設けられた厚肉部４２を有し、この厚肉部４２に、上記シフトピン２１の右側の端部２１ｂと係合することにより、シフトレバー３のＰレンジ位置側からＲレンジ位置側への操作を規制する第１規制面４２ａと、Ｒレンジ位置側からＰレンジ位置側への移動を規制する第２規制面４２ｂと、Ｎレンジ位置側からＲレンジ位置側への移動を規制する第３規制面４２ｃとが設けられて、シフトレバー３のこれらのレンジ間での操作を規制するようになっている。そして、上記ボタン３ｄの押し込み操作により、前述のスプリング２４及び支持部材２２を介してシフトピン２１が下方に押し下げられたときに、この規制が解除されて、シフトレバー３の上記操作が許容されるようになっている。
【００４０】
さらに、このガイドプレート４１のシフトレバー３側の面には、前部に設けられた上記の厚肉部４２に加えて、後部にも厚肉部４３が設けられ、これらの厚肉部４２，４３の間が凹陥部４４とされていると共に、この凹陥部４４を利用して、Ｍレンジ内でのシフトレバー３に対する中立付勢機構と、シフトアップ、シフトダウンスイッチの操作機構とが設けられている。
【００４１】
これらの機構は、上記凹陥部４４内に配置された前後一対の第１，第２カム部材５１，５２を用いて構成されており、これらのカム部材５１，５２によってＭレンジに操作されたシフトレバー３を中立位置に保持すると共に、該レバー３が中立位置から前後のシフトアップ位置またはシフトダウン位置に操作されたときには、いずれかのカム部材を介してシフトアップスイッチ５３もしくはシフトダウンスイッチ５４を操作するようになっている。
【００４２】
上記一対のカム部材５１，５２のうち、後方に配置されたシフトダウン用の第２カム部材５２の上端部にはガイドプレート４１側に突出するピン部５２ａが一体的に設けられており、また、前方に配置されたシフトアップ用の第１カム部材５１の上端部には穴５１ａが設けられて、上記第２カム部材５２のピン部５２ａが第１カム部材５１の穴５１ａに挿通された上で、ガイドプレート４１に設けられた穴に嵌合されて抜け止めされており（図４参照）、これにより、両カム部材５１，５２が上端部における共通の支点を中心として、下部がそれぞれ前後に揺動可能に支持されている。また、第２カム部材５２の上記ピン部５２ａにはツルマキバネ５５が巻き付けられ、その両端部が両カム部材５１，５２に設けられた係止穴５１ｂ，５２ｂにそれぞれ係止されて、これらのカム部材５１，５２が互いに接近する方向Ｂ，Ｃ、即ち第１カム部材５１は後方、第２カム部材５２は前方に付勢されている。
【００４３】
そして、ガイドプレート４１の凹陥部４４内における両カム部材５１，５２に挟まれた位置には、シフトレバー３側へ突出する中央ストッパ部４５が設けられて、該ストッパ部４５の前後両面で、上記ツルマキバネ５５の付勢力によるカム部材５１，５２の互いに接近する方向Ｂ，Ｃへの揺動を規制するようになっている。
【００４４】
また、第１カム部材５１の下端部には、肉盛りにより補強された下方への突出部５１ｃが設けられ、シフトレバー３がＤレンジ側からＭレンジ側へ操作されたときに、シフトピン２１が該突出部５１ｃに当接すると共に、このカム部材５１が上記中央ストッパ部４５によって後方への揺動が規制されていることにより、シフトレバー３のＭレンジ側への操作が阻止されるようになっている。
【００４５】
そして、シフトピン２１が押し下げられたときに、該シフトピン２１と上記第１カム部材５１の突出部５１ｃとの当接が回避されて、シフトレバー３のＭレンジ側への操作が許容されるようになっており、また、このＭレンジ位置でシフトピン２１の押し下げ操作を解除すれば、該シフトピン２１は中央ストッパ部４５により互いに接近する方向への揺動が規制された第１，第２カム部材５１，５２の間の間隙内に進入し、シフトピン２１がこの間隙内に位置する状態が、シフトレバー３のＭレンジ内における中立位置とされている。
【００４６】
また、シフトレバー３がこの位置から前方に操作されると、シフトピン２１を介して前側の第１カム部材５１がツルマキバネ５５に抗して前方（反Ｂ方向）へ揺動されると共に、該カム部材５１は前方へ所定量揺動した位置で、ガイドプレート４１の前側の厚肉部４２の後面に設けられた前側ストッパ部４２ｄに当接し、この位置でシフトレバー３のＭレンジ内での前方への操作が規制されるようになっている。
【００４７】
また、シフトレバー３が中立位置から後方に操作されると、シフトピン２１を介して後側の第２カム部材５２が同じくツルマキバネ５５に抗して後方（反Ｃ方向）へ揺動されると共に、該カム部材５２も後方へ所定量揺動した位置で、ガイドプレート４１の後側の厚肉部４３の前面に設けられた後側ストッパ部４３ｄに当接し、この位置でシフトレバー３のＭレンジ内での後方への操作が規制されるようになっている。そして、このシフトレバー３の前後の操作規制位置が、Ｍレンジ内でのシフトアップ位置及びシフトダウン位置とされている。
【００４８】
さらに、図６及び図７に示すように、一対のカム部材５１，５２のガイドプレート４１側の面には棒状のスイッチ操作部５１ｄ，５２ｄがそれぞれガイドプレート４１に直交する方向に突設され、その先端部がガイドプレート４１に設けられた長穴４６，４７を貫通して該プレート４１の背面側に突出している。そして、このガイドプレート４１の背面に、シフトレバー３のシフトアップ位置及びシフトダウン位置への操作をそれぞれ検出する前述のシフトアップスイッチ５３及びシフトダウンスイッチ５４が前後に取り付けられており、シフトレバー３のシフトアップ位置への操作により第１カム部材５１が前方へ揺動されたときには、該カム部材５１のスイッチ操作部５１ｄの先端がシフトアップスイッチ５３の接片５３ａを押圧して該スイッチ５３をＯＮし、シフトレバー３のシフトダウン位置への操作により第２カム部材５２が後方へ揺動されたときには、該カム部材５２のスイッチ操作部５２ｄの先端がシフトダウンスイッチ５４の接片５４ａを押圧して、該スイッチ５４をＯＮするようになっている。
【００４９】
ここで、この変速操作入力装置１の動作を説明する。
【００５０】
シフトレバー３の上端の操作部３ｃに備えられた規制解除ボタン３ｄを押していないときは、該シフトレバー３の下部に設けられたシフトピン２１は長穴３ｆ，３ｆの上方に位置する。この状態では、図６に示すように、ＤレンジとＮレンジとの間ではシフトピン２１の移動が規制されないので、シフトレバー３をこれらのレンジ間で自由に操作することができるが、ＮレンジからＲレンジへは、シフトピン２１がガイドプレート４１における厚肉部４２の第３規制面４２ｃに当接することによりシフトレバー３の操作が規制される。また、シフトレバー３がＰレンジにあるときも、シフトピン２１が上記ガイドプレート４１の厚肉部４２における第１規制面４２ａに当接してＲレンジやＤレンジ側への操作が規制される。
【００５１】
また、規制解除ボタン３ｄを半ば押し込んだ状態では、シフトピン２１が長穴３ｆ，３ｆの中間位置まで押し下げられ、Ｎレンジ側からＲレンジ側への操作が可能となるが、この状態ではシフトピン２１が第２規制面４２ｂに当接するので、ＲレンジからＰレンジへの操作は規制される。そして、上記規制解除ボタン３ｄをさらに押し込んでシフトピン２１を長穴３ｆ，３ｆの下部まで移動させれば、ＲレンジからＰレンジへの操作及びＰレンジからＲレンジ側への操作も可能となる。
【００５２】
一方、シフトピン２１が長穴３ｆ，３ｆの上部に位置する状態では、Ｄレンジ側からＭレンジ側へシフトレバー３を操作したときに、該シフトピン２１が前側の第１カム部材５１における下方への突出部５１ｃに当接すると共に、このカム部材５１はガイドプレート４１に設けられた中央ストッパ部４５に当接して後方への揺動が阻止されているから、シフトレバー３のＭレンジ側への操作が阻止されることになる。これにより、Ｎレンジ等の前方に位置するレンジからＤレンジへの操作時に、シフトレバー３が誤ってＭレンジまで操作される、といった誤操作が防止されることになる。
【００５３】
そして、Ｄレンジにおいて規制解除ボタン３ｄを押し込み操作してシフトピン２１を押し下げると、該シフトピン２１と上記突出部５１ｃとの当接が回避されるので、シフトレバー３のＭレンジ側への操作が可能となる。
【００５４】
また、このＭレンジの選択位置で上記ボタン３ｄの押し込み操作を解除すれば、シフトピン２１がツルマキバネ５５により互いに接近する方向に付勢されている第１，第２カム部材５１，５２の間の間隙に進入し、この位置で両カム部材５１，５２間に保持されることにより、シフトレバー３がＭレンジの中立位置に保持されることになる。
【００５５】
そして、このときシフトピン２１の上方への移動により、図５に示すように、該ピン２１の左側の端部２１ａがＭレンジスイッチ操作機構における操作レバー３３の前端部３３ｂを押し上げる。これにより、該レバー３３が反Ａ方向に揺動して、その後端部３３ａがＭレンジスイッチ３５をＯＮ操作することになり、このスイッチ３５からのＯＮ信号により、当該自動変速機のコントロールユニットがＭレンジに操作されたことを検知する。
【００５６】
つまり、シフトレバー３のＭレンジへの操作後、規制解除ボタン３ｄの押し込み操作を解除することにより、Ｍレンジ内でのシフトレバー３の操作による手動変速が可能な状態となり、したがって、シフトレバー３のＭレンジへの操作のみで変速が可能となる場合のような、運転者の意図しない変速が行われるといった不都合が防止され、当該変速操作入力装置１ないし変速機としての信頼性が確保される。
【００５７】
さらに、このＭレンジの選択位置でシフトレバー３を上記の中立位置から前方のシフトアップ位置に操作すれば、前側の第１カム部材５１が前方へ揺動して、該カム部材５１の操作部５１ｄがガイドプレート４１の背面の前側に配置されたシフトアップスイッチ５３をＯＮ操作し、逆に後方のシフトダウン位置に操作すれば、後側の第２カム部材５２が後方へ揺動して、該カム部材５２の操作部５２ｄが同じくガイドプレート４１の背面の後側に配置されたシフトダウンスイッチ５４をＯＮ操作する。そして、これらのスイッチ５３，５４からの信号が上記コントロールユニットに入力されることにより、該コントロールユニットは変速段を１段、シフトアップまたはシフトダウンするように変速指令を出力する。
【００５８】
ところで、この変速操作入力装置１によれば、シフトレバー３の揺動操作面に平行に立設されたガイドプレート４１の該シフトレバー３側の面に、該シフトレバー３の揺動面と平行な面上で揺動する一対のカム部材５１，５２を配置すると共に、このガイドプレート４１の背面側にシフトアップスイッチ５３とシフトダウンスイッチ５４とを配置した構成であるから、シフトレバー３とこれらのスイッチ５３，５４との干渉が回避され、しかも、ガイドプレート４１の両面を有効利用することにより当該スイッチ操作機構の大型化が抑制されることになる。
【００５９】
また、一対のカム部材５１，５２はガイドプレート４１における前後の厚肉部４２，４３の間の凹陥部４４に収納された状態で支持されているから、ガイドプレート４１の厚さや強度を確保しながら、カム部材５１，５２を含む中立付勢機構全体の幅方向の寸法を抑制することができ、当該装置１の幅方向寸法も短縮されることになる。
【００６０】
そして、本来シフトピン２１と協働してシフトレバー３の所定のレンジ間の操作を規制するためのガイドプレート４１に上記カム部材５１，５２を支持させると共に、該ガイドプレート４１の前側の厚肉部４２の後面及び後側の厚肉部４３の前面を利用して、一対のカム部材５１，５２の前方及び後方への揺動をそれぞれ所定範囲で規制するストッパ部４２ｄ，４３ｄを構成したので、上記カム部材５１，５２の支持やその揺動の規制等をそれぞれ別部材によって行う場合より部品点数が少なくなると共に、構造が簡素化されることになり、また、このガイドプレート４１自体が合成樹脂製のベース部材１０に一体的に成形されているので、この点でも部品点数が少なくなる。
【００６１】
さらに、一対のカム部材５１，５２によりシフトレバー３をＭレンジ内の中立位置に付勢する際に、所定のレンジ間での操作を規制するためのシフトピン２１を利用して付勢するようにしたから、カム部材５１，５２による中立位置への付勢力をシフトレバー３に伝達する部材と、該シフトレバー３の操作を規制する部材とが兼用されることになる。また、上記のように、シフトレバー３を中立位置に付勢する一対のカム部材５１，５２により、シフトアップスイッチ５３及びシフトダウンスイッチ５４をそれぞれ操作するようにしたので、Ｍレンジ内でのシフトレバー３の操作に連動して上記スイッチ５３，５４を操作するための部材を別途設ける必要がなく、しかも、一対のカム部材５１，５２は１本のツルマキバネ５５によりシフトレバー３の中立位置方向へ付勢されるようになっており、これらの点でも部品点数が削減されて、当該変速操作入力装置１がきわめて簡素に構成されることになる。
【００６２】
また、上記シフトピン２１はシフトレバー３の左右両側に突出し、Ｍレンジにおいては、一方の端部２１ａでＭレンジスイッチ３５をＯＮ操作すると共に、他方の端部２１ｂで中立付勢用のカム部材５１，５２を介してシフトアップスイッチ５３及びシフトダウンスイッチ５４を操作するようになっているから、該シフトピン２１には両端部に荷重が作用することになる。これにより、一端側にのみ荷重が作用する場合のシフトピン２１のこじれ等が防止され、該シフトピン２１の耐久性が向上して、良好な操作性が長期にわたって維持されることになる。
【００６３】
なお、図８は、Ｍレンジスイッチ操作機構の他の構成例を示すもので、この例では、ベース部材１０′に立設される支持プレート３１′が該ベース部材１０′に一体的に成形されていると共に、この支持プレート３１′の前部に２つの長穴３１ａ′，３１ａ′が設けられ、これらの長穴３１ａ′，３１ａ′に操作部材３３′に設けられた２つの突起３３ａ′，３３ａ′がそれぞれ係合されて、該操作部材３３′が上下にスライド可能に支持されている。
【００６４】
そして、この操作部材３３′の前方に延びる係合部３３ｂ′が、Ｍレンジに操作されたシフトレバー３′におけるシフトピン２１′の端部に係合され、該シフトピン２１′が上方へ移動したときに、操作部材３３′も自重に抗して上方へスライドされ、このとき、該操作部材３３′により支持プレート３１′の後部に取り付けられたＭレンジスイッチ３５′の接片３５ａ′がＯＮ操作されるようになっている。
【００６５】
したがって、この操作機構によっても、図５に示すものと同様に、Ｍレンジスイッチ３５′が操作されることになる。
【００６６】
次に、前述のカバー２及び該カバー２の開口部２ａを閉鎖するスライドプレート５の構造、及びこれらを用いたレンジ選択位置表示機構について説明する。
【００６７】
図３、図４に示すように、カバー２は上部カバー６１と下部カバー６２とで中空状に構成され、上部カバー６１における開口部２ａの一側方に前述の操作位置表示板４が取り付けられていると共に、その下方には該表示板４を下方から照明するランプ６３が備えられている。そして、開口部２ａの左右両側部に沿って上下のカバー６１，６２間に隙間が設けられ、この隙間にスライドプレート５の左右両側部が係合されていると共に、該プレート５の中央に設けられた穴５ａにシフトレバー３のパイプ部材３ａが挿通され、該シフトレバー３の操作によりスライドプレート５が前後にスライドするようになっている。
【００６８】
一方、図９に示すように、上記操作位置表示板４には、シフトレバー３の各レンジ選択位置に応じて「Ｐ」、「Ｒ」、「Ｎ」、「Ｄ」、「Ｍ」の文字が付されていると共に、これらの文字の開口部２ａ側の側方には表示窓４ｐ，４ｒ，４ｎ，４ｄ，４ｍがそれぞれ設けられている。これらの表示窓のうち、「Ｐ」〜「Ｄ」の文字の側方に設けられた表示窓４ｐ〜４ｄは前後一列に配列されているのに対し、「Ｍ」の側方に設けられた表示窓４ｍは、上記列に対して開口部２ａ側にオフセットされた位置に設けられている。
【００６９】
また、スライドプレート５における操作位置表示板４側の側部には、前後方向の長さが長い第１段目の突出部５ｂと、該突出部５ｂからさらに当該側方へ突出する前後方向の長さが短い第２段目の突出部５ｃとが設けられて、これらの突出部５ｂ，５ｃが例えば赤色等に着色されている。そして、第１段目の突出部５ｂが、左右方向の位置で、操作位置表示板４における「Ｍ」の文字の側方の表示窓４ｍの位置に対応し、第２段目の突出部５ｃが、「Ｐ」〜「Ｄ」の文字の側方に設けられた表示窓４ｐ〜４ｄの列に対応位置するようになっている。
【００７０】
したがって、図１０に示すように、シフトレバー３がＭレンジに操作されているときには、そのレンジ内で該シフトレバー３がシフトアップまたはシフトダウン操作として前後に操作されても、Ｍレンジ用の第１段目の突出部５ｂは前後方向に長いので、常に着色部が当該表示窓４ｍの全体に表示されることになると共に、Ｍレンジ以外では、この第１段目の突出部５ｂは、他のレンジの表示窓４ｐ〜４ｄの列に対してオフセットされているから、これらの表示窓４ｐ〜４ｄに現れることはない。
【００７１】
そして、符号イで示すように、シフトレバー３がＭレンジ以外のレンジに操作されているときに、これらのレンジの表示窓４ｐ〜４ｄのいずれかに、第２段目の突出部５ｃが現れることになるが、この第２段目の突出部は前後方向の寸法が短いので、各窓４ｐ〜４ｄの間隔が狭くても、複数の表示窓に同時に着色部が現れることがない。
【００７２】
これにより、Ｍレンジ及びＭレンジ以外の他のレンジのいずれにおいても、操作位置表示板４における各表示窓４ｐ〜４ｍのうちのシフトレバー３によって選択されているレンジの表示窓に、着色部が良好に表示されることになる。
【００７３】
なお、図１１に示すレンジ選択位置表示機構においては、カバー２′における操作位置表示板４′に、図９、図１０に示す表示板４と同様に、シフトレバー３′の各レンジ選択位置に応じて「Ｐ」、「Ｒ」、「Ｎ」、「Ｄ」、「Ｍ」の文字が付されていると共に、これらの文字の開口部２ａ′側の側方に表示窓４ｐ′，４ｒ′，４ｎ′，４ｄ′，４ｍ′がそれぞれ設けられているが、これらの表示窓のうち、「Ｐ」〜「Ｄ」の文字の側方に設けられた表示窓４ｐ′〜４ｄ′の列に対して、「Ｍ」の側方に設けられた表示窓４ｍ′が開口部２ａと反対側にオフセットされている。
【００７４】
また、スライドプレート５′における操作位置表示板４′側の側部には、その側辺に沿って前後方向の長さが短い第１段の突出部５ｂ′が、また、その外側に前後方向の長さが長い第２段の突出部５ｃ′が設けられて、これらの突出部５ｂ′，５ｃ′が全体形状として、Ｔ字状をなしている。
【００７５】
この例においても、操作位置表示板４′におけるＭレンジ用の表示窓４ｍ′に前後方向の長さが長い突出部５ｃ′が、Ｍレンジ以外のレンジ用の表示窓４ｐ′〜４ｄ′に前後方向の長さが短い突出部５ｂ′がそれぞれ対応することになるから、図９、図１０に示す表示機構と同様の作用が得られる。
【００７６】
【発明の効果】
以上のように、本発明によれば、変速段を手動によるシフトレバーの揺動操作によって切り換えるＭレンジを有すると共に、このＭレンジを含む複数のレンジのシフトレバーの揺動操作による選択位置が一列に配置され、かつ、Ｍレンジ内での上記操作が上記列の方向に沿って行われるように構成された自動変速機において、シフトレバーのカバー部材に該シフトレバーの選択位置を表示するレンジごとの表示窓が設けられる場合に、Ｍレンジ内でシフトレバーのシフトアップまたはシフトダウンの操作を行っても、Ｍレンジ用表示窓は、常にその全体が一様に所定の表示状態に維持されると共に、Ｍレンジ以外の他のレンジでは、当該他のレンジ用の表示窓のみに選択表示が行われて、他の表示窓の一部に選択表示が現れるといったことが防止される。
【００７７】
これにより、カバー部材における各表示窓間の間隔を長くして、シフトレバーの操作性を悪化させたり、当該変速操作入力装置の前後方向寸法を増大させたりする等の種々の不都合を招くことなく、Ｍレンジ及びその他のレンジについての選択表示が良好に行われるようになる。
【００７８】
なお、第２発明によれば、上記効果が、複数のレンジとして、Ｐ、Ｒ、Ｎ、Ｄ、Ｍの各レンジを有し、これらのレンジの選択位置がシフトレバーの操作方向に沿って一列に配置された自動変速機において得られることになる。
【００７９】
また、第３発明によれば、スライドプレートの一側部に二段に設けられる表示用突出部の全体形状が、基端部が太く、先端部が細い安定した形状となるので、変形や折損等のおそれが少なくなり、耐久性が向上する。
【図面の簡単な説明】
【図１】本発明の実施の形態に係る変速操作入力装置におけるシフトレバー及びその周辺の外観図である。
【図２】同装置の平面図である。
【図３】同じく側面図である。
【図４】図３のａ−ａ線による断面図である。
【図５】Ｍレンジスイッチ操作機構の拡大側面図である。
【図６】図２のｂ−ｂ線に沿ってみたガイドプレート及びその周辺の拡大側面図である。
【図７】図６のｃ−ｃ線に沿う断面図である。
【図８】Ｍレンジスイッチ操作機構の他の実施の形態を示す側面図である。
【図９】スライドプレートを用いたレンジ選択位置表示機構を示す平面図である。
【図１０】同機構の作用を示す平面図である。
【図１１】同機構の他の実施の形態を示す平面図である。
【図１２】同機構の従来の問題点を示す平面図である。
【符号の説明】
１                          変速操作入力装置
２，２′                    カバー部材
３，３′                    シフトレバー
４ｐ〜４ｍ、４ｐ′〜４ｍ′  表示窓
５，５′                    スライドプレート
５ｂ，５ｃ′                Ｍレンジ用突出部
５ｂ′，５ｃ                他のレンジ用の突出部
【図１】
0003614583.tif 000002
【図２】
0003614583.tif 000003
【図３】
0003614583.tif 000004
【図４】
0003614583.tif 000005
【図５】
0003614583.tif 000006
【図６】
0003614583.tif 000007
【図７】
0003614583.tif 000008
【図８】
0003614583.tif 000009
【図９】
0003614583.tif 000010
【図１０】
0003614583.tif 000011
【図１１】
0003614583.tif 000012
【図１２】
0003614583.tif 000013